(57)【要約】【課題】車室、冷蔵庫、学習机等に用いられ、手荷物、小物等を引っ掛けるためのフックにおいて、好みに応じた外観のデザインを換えることができるフックを低コストで得られるようにする。【解決手段】フック部１３が設けられた取付座１１に枠体１７を着脱可能に取り付け、この枠体１７から挿通部１５を介して突出するフック部１３に手荷物Ｄを引っ掛けるようにする。【選択図】　図１
2004113302.tif 000002
【特許請求の範囲】
【請求項１】
固定体に取り付けられる取付座と、
上記取付座に別体又は一体に形成され、取付座から突出するフック部と、
上記フック部が挿通される挿通部を有し、上記取付座に着脱可能に取り付けられる枠体とからなり、
上記フック部は、枠体が取付座に取り付けられた状態で物品を引っ掛け可能に上記挿通部に挿通されて枠体から突出していることを特徴とするフック。
【発明の詳細な説明】
【０００１】
【発明の属する技術分野】
本発明は、車室、家屋の部屋等において、手荷物や小物等を引っ掛けるために用いられるフックに関する技術分野に属する。
【０００２】
【従来の技術】
従来より、この種のフックの１例として、車室内の所定箇所に取り付け可能な取付座と、この取付座に一体に設けられたフック部と、取付座又はフック部に揺動可能に支持され、フック部に手荷物が引っ掛けられたときに、フック部内に位置する脚部が押されてフック部の開放部を閉じる蓋部とを備え、手荷物の引掛時にはフック部の開放部を必ず閉ざすことにより、車両の走行中に激しい振動が生じても手荷物がフック部から外れて落ちないようにしたものは知られている（例えば、特許文献１参照）。
【０００３】
【特許文献１】
特開平７−２５１６７８号公報
【０００４】
【発明が解決しようとする課題】
ところで、一般に、従来のものでは、１つのフックに１種類のデザインが対応しており、異なった種類のデザインのフックを使用しようとすると、フック全体を交換しなければならない。このため、使用する場所に合わせて異なる種類のフックを使い分けようとするニーズがあると、それら複数種類のフックの全部品を用意せねばならず、コスト高になると共にその取付が面倒であるという問題がある。
【０００５】
本発明は斯かる点に鑑みてなされたものであり、その目的とするところは、フックの構造を工夫することで、好みに応じて任意にフック外観のデザインを容易にかつ低コストで換えることができるようにすることにある。
【０００６】
【課題を解決するための手段】
上記の目的を達成するために、請求項１の発明では、固定体に取り付けられる取付座と、この取付座に別体又は一体に形成され、取付座から突出するフック部と、このフック部が挿通される挿通部を有し、取付座に着脱可能に取り付けられる枠体とからなり、フック部は、枠体が取付座に取り付けられた状態で物品を引っ掛け可能に挿通部に挿通されて枠体から突出するようにする。
【０００７】
上記の構成によると、枠体は取付座に着脱可能に取り付けられるため、異なる種類のデザインのフックに交換しようとするときには、取付座及びフック部を固定体に取り付けたままで枠体のみを取り外して、新しいデザインの枠体に交換すればよい。このため、例えば異なる外観のデザインを有する複数種類の枠体を予備として備えておけば、フック全体を交換することなく、枠体のみの交換により、好みのフックが容易に得られることになる。従って、使用者の好みに合わせて外観のデザインを換えることができるデザイン性に富んだフックが低コストで得られる。
【０００８】
【発明の実施の形態】
以下、本発明の実施形態を図面に基づいて説明する。図６は自動車の車室を示し、Ａは左側フロントドア、Ｂは左側リアドア、Ｃは該左側リアドアＢの後側の車体側壁部で、いずれも本発明でいう固定体をなしている。これらドアＡ，Ｂ及び車体側壁部Ｃの内面には、傘、買い物袋等の手荷物Ｄ，Ｄ，…を引っ掛けるために、本発明の実施形態に係るフック１，１，…が設けられている。
【０００９】
図１〜図４に示すように、上記各フック１は上記ドアＡ，Ｂ、車体側壁部Ｃに取り付けられる取付座１１を有する。この取付座１１は、裏面がドアＡ，Ｂ、車体側壁部Ｃに当接する板状の取付座本体２１と、図４において、上記取付座本体２１の上下略中央部の左右両縁部から直角に表側に向かって突出された１対のフック支持部２３，２３と、取付座本体２１の左右両端部から左右外側に向かって拡がるように設けられた１対の枠状の係合部２５，２５とを備えている。
【００１０】
上記取付座本体２１の上部及び下部には、取付座１１をボルトＴ，ＴによってドアＡ，Ｂ、車体側壁部Ｃに締結固定するための挿通孔２１ａ，２１ａが所定の間隔をあけて貫通されている。
【００１１】
また、上記取付座１１の各フック支持部２３の略中央部分には水平左右方向の軸孔２３ａが同心状に貫通して設けられている。
【００１２】
さらに、上記取付座１１の各係合部２５には、後述する枠体１７を着脱可能に係合支持する係合孔２５ａが開口されている。
【００１３】
上記取付座１１のフック支持部２３，２３には、取付座１１から突出するようにフック部１３が揺動可能に支持されている。このフック部１３は板状のフック本体１３ａと、このフック本体１３ａの上下略中央部の左右両縁部から同じ方向（取付座本体２１に向かう方向）に直角に突出するように設けられた１対の被支持部１３ｂ，１３ｂとを有し、この被支持部１３ｂの外面には上記各フック支持部２３の軸孔２３ａに挿入される軸部１３ｃ，１３ｃが互いに同心状に突設されている。そして、このフック部１３の被支持部１３ｂ，１３ｂを取付座１１のフック支持部２３，２３間に配置して、各軸部１３ｃを各フック支持部２３の軸孔２３ａに挿入することで、フック部１３を取付座１１に揺動可能に支持するようになっている。尚、各軸部１３ｃの先端部には、その被支持部１３ｂの先端側に対応する部分の角部を切り欠いてなるガイド部１３ｄが設けられており、このガイド部１３ｄによって軸部１３ｃが各フック支持部２３の軸孔２３ａに挿入されやすくなっている。
【００１４】
そして、上記取付座１１における係合部２５，２５の係合孔２５ａ，２５ａには、枠体１７が交換可能に取り付けられている。この枠体１７は正面から見て所定の形状（図示例では小熊の頭部を正面から見た形状）を有しかつ裏側に開放口１８を有する有底状のもので、その左右中央部分に下端から上側に向かって、フック部１３の左右幅よりも若干大きい左右幅で切り欠いてなる挿通部１５が設けられ、この挿通部１５に上記フック部１３が挿通されている。
【００１５】
また、上記枠体１７の裏面には先端にかぎ部２７ａ，２７ａを有する１対の被係合部２７，２７が枠体１７裏面の左右側壁内面から突出するように設けられており、この各被係合部２７のかぎ部２７ａを上記取付座１１における各係合部２５の各係合孔２５ａにその内側から係合固定することで、枠体１７を取付座１１に着脱可能に取り付けるようにしている。すなわち、枠体１７はかぎ部２７ａ，２７ａにより、通常の使用時には取付座１１に係合保持される一方、交換時には取付座１１に対して着脱可能とされている。
【００１６】
そして、図２に実線で示すように、上記枠体１７が取付座１１に取り付けられた状態で、上記フック部１３が上記挿通部１５に挿通されて枠体１７から突出しており、このフック部１３に手荷物Ｄが引っ掛けられるようになっている。
【００１７】
次に、本実施形態に係るフックの使用方法について説明する。図４に示すように、フック１をドアＡ，Ｂ、車体側壁部Ｃに取付固定するときには、ドアＡ等の所定位置に取付座１１を配置し、その取付座本体２１の挿通孔２１ａ，２１ａを通るボルトＴ，ＴによりドアＡ等に取付座１１を締結する。
【００１８】
そして、この取付座１１の表側からフック部１３の被支持部１３ｂ，１３ｂを取付座１１のフック支持部２３，２３間に挟み込むように挿入し、被支持部１３ｂの各軸部１３ｃを各フック支持部２３の軸孔２３ａに嵌合させる。この状態で、フック部１３が取付座１１に対し軸部１３ｃ，１３ｃを中心として上下方向に揺動可能に支持される。
【００１９】
次に、上記取付座１１の表側から枠体１７を近づけて、枠体１７の各被係合部２７のかぎ部２７ａを取付座１１の各係合孔２５ａに係合させ、枠体１７の挿通部１５にフック部１３を挿通させる。
【００２０】
そして、このように組み付けられたフック１を使用しないときには、図２に２点鎖線で示すように、フック部１３が枠体１７から突出しないようにフック部１３の上側を押して、枠体１７と略面一にする。一方、手荷物Ｄを引っ掛けるときには、同図において実線で示すように、フック本体１３ａの下側を押してフック部１３を軸部１３ｃ，１３ｃを中心として揺動させて、フック本体１３ａの上側を枠体１７表面から突出するように傾け、フック本体１３ａの上側と枠体１７との間の開いたスペースに手荷物Ｄを引っ掛ければよい。
【００２１】
さらに、上記枠体１７として、例えば図５の（ａ），（ｂ）に示すように、異なる外観のデザインを有する複数種類のものを予備に用意しておけば、枠体１７を好みの外観の枠体１７に交換するときに、取付座１１に取り付けられているそれまでの枠体１７を手前に引き抜いた後、予備として備えられた枠体１７，１７，…の中から選択した別の枠体１７を上記と同様に取付座１１に取り付ければよい。
【００２２】
尚、図５の（ａ）はチューリップの形状をした枠体１７であり、また（ｂ）はコーヒーカップの形状をした枠体１７であり、これらの枠体１７，１７は、外形形状が図１の枠体１７と異なる他は図１の枠体１７と同じである。
【００２３】
従って、本発明の実施形態に係るフックによると、枠体１７は取付座１１に着脱可能に取り付けられるため、異なる種類のデザインのフック１に交換しようとするときには、取付座１１及びフック部１３をドアＡ，Ｂ、車体側壁部Ｃに取り付けたままで枠体１７のみを取り外して、新しいデザインの枠体１７に交換すればよい。このため、例えば異なる外観のデザインを有する複数種類の枠体１７，１７，…を予備として備えておくことにより、フック１全体を交換することなく、枠体１７のみの交換により、好みのフック１が容易に得られることになる。よって、使用者の好みに合わせて外観のデザインを換えることができるデザイン性に富んだフック１が低コストで得られる。
【００２４】
尚、上記実施形態では、フック部１３を取付座１１と別体に設けたが、フック部を取付座と一体に設けてもよい。
【００２５】
また、上記実施形態では、取付座１１をボルトＴ，ＴにてドアＡ等に取り付けたが、接着剤、両面テープ、マグネット等により取り付けてもよい。
【００２６】
また、上記実施形態では、枠体１７を取付座１１に対して表側から取り付けるようにしたが、この取付構造は上記実施形態に限定されることなく、例えば枠体１７を取付座１１の上方から下方へスライドさせて取付座１１に取り付けるようにすることが可能である。この場合の構造は、上記取付座１１における係合部２５の内面に互いに対向する溝部を上端が開放するように上下方向に形成し、該溝部に上記枠体１７における被係合部２７の一対のかぎ部２７ａ，２７ａを枠体１７の上方から嵌合させて、この枠体１７を下方へ溝部に沿ってスライドさせる構造とすればよい。
【００２７】
また、上記実施形態では、枠体１７の挿通部１５は枠体１７の下部が開放された正面視逆Ｕ字状の形状であるが、枠体１７のデザインによっては、挿通部１５の下部は開放することなく、全周が包囲された形状とすることも可能である。
【００２８】
さらに、上記実施形態では、フック１を車室のドアＡ等に取り付けるようにしているが、本発明のフックはその他の場所、例えば冷蔵庫の側壁、学習机、家屋の室内の壁等に取り付けてもよい。
【００２９】
【発明の効果】
以上説明したように、請求項１の発明によると、フック部が設けられた取付座に枠体を着脱可能に取り付け、この枠体から挿通部を介して突出するフック部に物品を引っ掛けるようにしたことにより、使用者の好みに合わせて外観のデザインを換えることができるフックが低コストで得られる。
【図面の簡単な説明】
【図１】フックの全体構造を示す斜視図である。
【図２】図１のＩＩ−ＩＩ線断面図である。
【図３】図２のＩＩＩ−ＩＩＩ線断面図である。
【図４】フックの分解斜視図である。
【図５】他のデザインを有する枠体の正面図である。
【図６】本発明の実施形態に係るフックが設けられた車室内を示す斜視図である。
【符号の説明】
１　フック
１１　取付座
１３　フック部
１５　挿通部
１７　枠体
Ａ　左側フロントドア（固定体）
Ｂ　左側リアドア（固定体）
Ｃ　車体側壁部（固定体）
Ｄ　手荷物（物品）
【図１】
2004113302.tif 000003
【図２】
2004113302.tif 000004
【図３】
2004113302.tif 000005
【図４】
2004113302.tif 000006
【図５】
2004113302.tif 000007
【図６】
2004113302.tif 000008